(57)【要約】【課題】断熱材を蓋体へ一体化配設するためのカバー体にて生じる熱伝達を低減し、断熱性能を高く維持することのできる、新しい断熱型床下収納庫を提供する。【解決手段】収納ボックス（２）に開閉用の蓋体（１）が取付け取外し自在とされ、当該蓋体（１）にはその背面部にカバー体（４）で覆われた断熱材（３）が一体化配設されている断熱型床下収納庫であって、カバー体（４）の底面４角部に熱伝達防止開口（４１）を設けている。【選択図】　図１
2004143755.tif 000002
【特許請求の範囲】
【請求項１】
収納ボックスに開閉用の蓋体が取付け取外し自在とされ、当該蓋体にはその背面部にカバー体で覆われた断熱材が一体化配設されている断熱型床下収納庫であって、カバー体は、その底面４角部に熱伝達防止開口を有していることを特徴とする断熱型床下収納庫。
【請求項２】
収納ボックスに開閉用の蓋体が取付け取外し自在とされ、当該蓋体にはその背面部にカバー体で覆われた断熱材が一体化配設されている断熱型床下収納庫であって、カバー体は、その底外面に熱伝達防止シートを有していることを特徴とする断熱型床下収納庫。
【請求項３】
収納ボックスに開閉用の蓋体が取付け取外し自在とされ、当該蓋体にはその背面部にカバー体で覆われた断熱材が一体化配設されている断熱型床下収納庫であって、カバー体は、その底面４角部に熱伝達防止開口を有しており、且つその底外面に熱伝達防止シートを有していることを特徴とする断熱型床下収納庫。
【請求項４】
カバー体は、その底面４角部の熱伝達防止開口を区画するブリッジ部を有し、当該ブリッジ部にて断熱材を支持可能であることを特徴とする請求項１または３記載の断熱型床下収納庫。
【請求項５】
カバー体は、ブリッジ部同士が交叉する部分に中央支持部を有していることを特徴とする請求項４記載の断熱型床下収納庫。
【発明の詳細な説明】
【０００１】
【発明の属する技術分野】
この出願の発明は、断熱型床下収納庫に関するものである。さらに詳しくは、この出願の発明は、床下収納庫として有用な、断熱材を蓋体へ一体化配設するためのカバー体にて生じる熱伝達を低減し断熱性能を維持することのできる、新しい断熱型床下収納庫に関するものである。
【０００２】
【従来の技術】
従来より、床下空間を有効利用するために床下収納庫を設置することがしばしばある。
【０００３】
この床下収納庫については、床下空間に埋設される収納ボックスの入口開口を覆う蓋体の裏面に断熱材を貼り付けて、断熱性の向上を図った断熱型床下収納庫が提案されている（特許文献１参照）。
【０００４】
しかしながら、特許文献１記載の断熱型床下収納庫では、断熱材が貼着であるために経年使用等により蓋体との接着状態が弱くなり、断熱効果も低減する恐れがある。
【０００５】
そこで、断熱材を図４に例示したような樹脂製のカバー体（４）を用いて蓋体に一体化配設するようにした断熱型床下収納庫がすでに提案されている（特許文献２参照）。
【０００６】
【特許文献１】
特開平８−６０８５０号公報
【特許文献２】
特願２００２−０１７７６９号
【０００７】
【発明が解決しようとする課題】
しかしながら、上記特許文献２に記載の断熱型床下収納庫においては、カバー体（４）によって断熱材を蓋体と一体化してしっかりと保持できるにもかかわらず、今度はそのカバー体（４）を通じて熱伝達が生じ、断熱効果が低減してしまう恐れがあるのである。
【０００８】
この出願の発明は、以上のとおりの事情に鑑みてなされたものであり、上記カバー体にて生じる熱伝達を低減して断熱性能を維持することのできる、新しい断熱型床下収納庫を提供することを課題としている。
【０００９】
【課題を解決するための手段】
この出願の発明は、上記の課題を解決するものとして、第１には、収納ボックスに開閉用の蓋体が取付け取外し自在とされ、当該蓋体にはその背面部にカバー体で覆われた断熱材が一体化配設されている断熱型床下収納庫であって、カバー体は、その底面４角部に熱伝達防止開口を有していることを特徴とする断熱型床下収納庫を提供し、第２には、収納ボックスに開閉用の蓋体が取付け取外し自在とされ、当該蓋体にはその背面部にカバー体で覆われた断熱材が一体化配設されている断熱型床下収納庫であって、カバー体は、その底外面に熱伝達防止シートを有していることを特徴とする断熱型床下収納庫を提供し、第３には、収納ボックスに開閉用の蓋体が取付け取外し自在とされ、当該蓋体にはその背面部にカバー体で覆われた断熱材が一体化配設されている断熱型床下収納庫であって、カバー体は、その底面４角部に熱伝達防止開口を有しており、且つその底外面に熱伝達防止シートを有していることを特徴とする断熱型床下収納庫を提供する。
【００１０】
また、第４には、前記カバー体が、その底面４角部の熱伝達防止開口を区画するブリッジ部を有し、当該ブリッジ部にて断熱材を支持可能であることを特徴とする断熱型床下収納庫、第５には、前記カバー体が、ブリッジ部同士が交叉する部分に中央支持部を有していることを特徴とする断熱型床下収納庫をも提供する。
【００１１】
【発明の実施の形態】
［第１の実施形態］
上記のとおりの特徴を有するこの出願の発明によれば、たとえば図１および図２に例示したように、収納ボックス（２）の蓋体（１）の背面部に断熱材（３）を一体化配設するカバー体（４）を、その底面４角部に熱伝達防止開口（４１）を有するものとすることで、カバー体（４）にて生じる熱伝達を低減し、断熱性能を高く維持した断熱型床下収納庫を実現することができる。
【００１２】
より具体的には、図１および図２の実施形態では、カバー体（４）の四辺形の底面部（４Ａ）における４つの角部それぞれに略四辺形の熱伝達防止開口（４１）が設けられており、これら４つの熱伝達防止開口（４１）は、底面部（４Ａ）の２対の対向辺をそれぞれ結ぶブリッジ部（４２）で区画されて、カバー体（４）自体の強度を保ちつつ、可能な限りの開口面積を確保している。
【００１３】
この構造により、熱がカバー体（４）を伝わるのを熱伝達防止開口（４１）にて阻止でき、高い断熱効果を発揮することができる。もちろんブリッジ部（４２）によって断熱材（３）を確実に安定して支持できる。カバー体（４）自体はその４辺と４角とブリッジ部（４２）で十分に強度確保されている。
【００１４】
また、２つのブリッジ部（４２）は互いに中央で交叉し、この交叉部分はブリッジ幅よりもある程度拡大された平面状の中央支持部（４３）となっている。これにより、ブリッジ部（４２）の強度をより高め、断熱材（３）の支持をより確実に行えるようになる。
【００１５】
以上の熱伝達防止開口（４１）、ブリッジ部（４２）、中央支持部（４３）は、樹脂製のカバー体（４）の成形時に形成することができる。
【００１６】
［第２の実施形態］
この出願の発明によれば、上述の熱伝達防止開口（４１）を設けるだけでなく、たとえば図３に例示したように、カバー体（４）の底外面（４Ｂ）に熱伝達防止シート（４４）を設けるようにしても、カバー体（４）での熱伝達を低減することができる。
【００１７】
より具体的には、図３の実施形態では、カバー体（４）の底外面（４Ｂ）の略全面に熱伝達防止シート（４４）が貼り付けられている。この熱伝達防止シート（４４）としては、たとえばゴム、フェルト、布、スポンジ等の柔軟性断熱シート材を用いることが考慮され、これによってカバー体（４）の熱伝達を悪くして断熱効果を高めることができる。また、蓋体（１）を収納ボックス（２）から外して床面に置いた場合に、床面を痛めないという効果も発揮される。
【００１８】
もちろん、上記熱伝達防止開口（４１）と熱伝達防止シート（４４）の両者を備えてもよいことは言うまでもなく、さらに一層優れた熱伝達抑制効果および断熱効果を実現できる。
【００１９】
この出願の発明は以上の実施形態に限定されるものではなく、細部については様々な態様が可能である。
【００２０】
【発明の効果】
以上詳しく説明したとおり、この出願の発明によって、断熱材の蓋体への一体化配設はそのままに、カバー体にて生じる熱伝達を低減して断熱性能を高く維持することのできる、新しい断熱型床下収納庫が提供される。
【図面の簡単な説明】
【図１】この出願の発明の一実施形態を示したカバー体の底面図である。
【図２】この出願の発明の一実施形態を示した断熱型床下収納庫全体の断面図である。
【図３】この出願の発明の別の一実施形態を示した断熱型床下収納庫全体の断面図である。
【図４】従来の断熱型床下収納庫におけるカバー体を例示した底面図である。
【符号の説明】
１　蓋体
２　収納ボックス
３　断熱材
４　カバー体
４Ａ　底面部
４Ｂ　底外面
４１　熱伝達防止開口
４２　ブリッジ部
４３　中央支持部
４４　熱伝達防止シート
【図１】
2004143755.tif 000003
【図２】
2004143755.tif 000004
【図３】
2004143755.tif 000005
【図４】
2004143755.tif 000006